(57)【要約】【課題】防水性および耐久性が必要な部分には従来から使用されている防水防湿生地を使用して防水性および耐久性を保つ一方、汗をかき易く蒸れを感じやすい箇所には部分的に防水性および透湿性の高い防水透湿生地を使用することにより軽量化すると共に作業性を向上させる。【解決手段】チャック１１ａや面ファスナー１１ｂ、ボタン等により開閉自在の前身頃部１１と、着衣者の背中側に位置する後身頃部１２と、着衣者の腕が通る袖部１５と、着衣者の首回りに設けられた襟部１３とを有する上着の内、少なくとも後身頃部１２および襟部１３は、防水および透湿機能を有する防水透湿生地で製作されている一方、前身頃部１１および袖部１５の前身頃側は、防水性および耐久性が高い合成樹脂レザー等の防水防湿生地で製作されている。【選択図】図５
2019099949.tif 000002
【特許請求の範囲】
【請求項１】
漁業を含む水産業や水産加工業等に従事する水産業従業者が使用する水産作業用合羽であって、
着衣者の体の前側に位置して、チャックや面ファスナー、ボタン等により開閉自在の前身頃部と、着衣者の背中側に位置する後身頃部と、着衣者の腕が通る袖部とを有する上着の内、
少なくとも前記後身頃部は、防水および透湿機能を有する防水透湿生地で製作されている一方、
前記前身頃部および前記袖部の前側は、防水透湿生地よりも防水性および耐久性が高い合成樹脂レザー等の防水防湿生地で製作されていることを特徴とする水産作業用合羽。
【請求項２】
請求項１に記載の水産作業用合羽において、
前記袖部は、ラグランスリーブであり、さらに、前記前身頃部と前記袖部の前側との間の接合ラインである斜めの前身頃・袖接合ラインに沿って着衣者の脇の下から首元に向かって延びる脇の下部が設けられており、当該脇の下部は、前記防水透湿生地で製作されていることを特徴とする水産作業用合羽。
【請求項３】
請求項１または請求項２に記載の水産作業用合羽において、
前記袖部は、
主に着衣者の上腕が納まる上腕用袖部と、
主に着衣者の下腕が納まる下腕用袖部とを備え、
前記下腕用袖部は、少なくとも下腕用内袖部と下腕用外袖部とを有する二重構造で構成されており、前記下腕用内袖部は前記防水透湿生地で形成されている一方、前記下腕用外袖部は合成樹脂レザー等の防水防湿生地で形成されていることを特徴とする水産作業用合羽。
【請求項４】
請求項３に記載の水産作業用合羽において、
前記上腕用袖部における腕の長手方向の接合ラインである上腕用袖部接合ラインと、前記下腕用外袖部における腕の長手方向の接合ラインである下腕用外袖部接合ラインとは、前記後身頃側に位置するように構成されていることを特徴とする水産作業用合羽。
【請求項５】
請求項３または請求項４に記載の水産作業用合羽において、
前記上腕用袖部における腕の長手方向の接合ラインである上腕用袖部接合ラインと、前記下腕用外袖部における腕の長手方向の接合ラインである下腕用外袖部接合ラインとは、ずらしていることを特徴とする水産作業用合羽。
【請求項６】
請求項１〜請求項５に記載の水産作業用合羽において、
前記上着には、さらに、着衣者の首回りから立ち上がる襟部とフードとの少なくとも一方が設けられており、
前記襟部およびフードは、防水透湿生地で製作されていることを特徴とする水産作業用合羽。
【請求項７】
請求項１〜請求項６に記載の水産作業用合羽において、
さらに、ズボンを備え、
当該ズボンの前側であるズボン前側部は、合成樹脂レザー等の防水防湿生地で製作され、
当該ズボンの後側であるズボン後側部は、尻部が合成樹脂レザー等の防水防湿生地で製作されている一方、尻部以外の部分は防水透湿生地で製作されていることを特徴とする水産作業用合羽。
【請求項８】
請求項７に記載の水産作業用合羽において、
前記ズボンには、前記ズボン前側部および前記ズボン後側部の下端部に裾部が設けられており、当該裾部は、合成樹脂レザー等の防水防湿生地を使用し当該裾部下端部で折り返して製作されていると共に、着衣者の足の長さに応じてカットして当該裾部の長さを調整できるように当該裾部下端部から上方に向かって所定間隔で内側面同士が円環状に溶着されていることを特徴とする水産作業用合羽。
【請求項９】
請求項７または請求項８に記載の水産作業用合羽において、
前記ズボンの裾部における裾部上下方向接合ラインは、側面側に位置するように構成されていることを特徴とする水産作業用合羽。
【発明の詳細な説明】
【技術分野】
【０００１】
本発明は、船上での漁業や、海での魚や海苔、貝等の養殖業、さらには港湾等における漁船からの水揚げ作業、水産加工業等各種水産作業に従事する水産業従業者に適した水産作業用合羽に関する。
【背景技術】
【０００２】
漁師等の漁業を含む産業に従事する水産業従業者用の合羽は防水と耐久性に特化していることが必要事項であり、従来より、合成樹脂レザーのみから作られた水産作業用合羽が使用されていることが多い（例えば、特許文献１参照。）。
【先行技術文献】
【特許文献】
【０００３】
【特許文献１】実用新案登録第３１５８３７９号公報
【発明の概要】
【発明が解決しようとする課題】
【０００４】
しかしながら、上述した特許文献１に記載された水産作業用合羽は、防水強度と使用耐久性の高い両面または片面の合成樹脂レザー等の防水防湿生地で製作されているため、防水強度や耐久性は高いものの、透湿性がなく、蒸れが生じ、更に単位面積当たりに使用されている樹脂量が多いため重量が重く、作業性が悪い、という問題があった。
【０００５】
その一方、最近は防水防湿生地よりも軽量で、かつ、透湿性の高い合成繊維層と合成樹脂層の積層体からなる防水透湿生地を使用した合羽が登山やレジャー用の合羽等では採用されているが、軽くて蒸れ難いため作業性は格段に向上するものの、合成樹脂レザーの防水防湿生地よりも耐久性が低い等の問題がある。
【０００６】
特に、防水透湿生地のみで製作された合羽を漁業等の水産業に使用すると、耐水性に限界があるため水が染み込んだり、さらには防水透湿生地が漁業作業時に船や網等で擦れて摩耗し破損したり、さらには徐々に魚油や土砂などの汚れが防水透湿生地の布目に入り込み透湿性も段階的に減少するなどの事象が発生するので、防水透湿生地のみで作られた合羽は漁業従事者用には一般には使用されない。
【０００７】
そこで、本発明はこのような問題点に着目してなされたもので、防水性および耐久性が必要な部分には従来から使用されている防水防湿生地を使用して防水性および耐久性を保つ一方、汗をかき易く蒸れを感じやすい箇所には部分的に防水性および透湿性の高い防水透湿生地を使用することにより軽量化して、作業性の向上を両立させた水産作業用合羽を提供することを目的とする。
【課題を解決するための手段】
【０００８】
上記課題を解決するため、本発明に係る水産作業用合羽は、漁業を含む水産業や水産加工業等に従事する水産業従業者が使用する水産作業用合羽であって、着衣者の体の前側に位置して、チャックや面ファスナー、ボタン等により開閉自在の前身頃部と、着衣者の背中側に位置する後身頃部と、着衣者の腕が通る袖部とを有する上着の内、少なくとも前記後身頃部は、防水および透湿機能を有する防水透湿生地で製作されている一方、前記前身頃部および前記袖部の前側は、防水透湿生地よりも防水性および耐久性が高い合成樹脂レザー等の防水防湿生地で製作されていることを第１の特徴とする。
また、本発明に係る水産作業用合羽は、前記袖部は、ラグランスリーブであり、さらに、前記前身頃部と前記袖部の前側との間の接合ラインである斜めの前身頃・袖接合ラインに沿って着衣者の脇の下から首元に向かって延びる脇の下部が設けられており、当該脇の下部は、前記防水透湿生地で製作されていることを第２の特徴とする。
また、本発明に係る水産作業用合羽は、前記袖部は、主に着衣者の上腕が納まる上腕用袖部と、主に着衣者の下腕が納まる下腕用袖部とを備え、前記下腕用袖部は、少なくとも下腕用内袖部と下腕用外袖部とを有する二重構造で構成されており、前記下腕用内袖部は前記防水透湿生地で形成されている一方、前記下腕用外袖部は合成樹脂レザー等の防水防湿生地で形成されていることを第３の特徴とする。
また、本発明に係る水産作業用合羽は、前記上腕用袖部における腕の長手方向の接合ラインである上腕用袖部接合ラインと、前記下腕用外袖部における腕の長手方向の接合ラインである下腕用外袖部接合ラインとは、前記後身頃側に位置するように構成されていることを第４の特徴とする。
また、本発明に係る水産作業用合羽は、前記上腕用袖部における腕の長手方向の接合ラインである上腕用袖部接合ラインと、前記下腕用外袖部における腕の長手方向の接合ラインである下腕用外袖部接合ラインとは、ずらしていることを第５の特徴とする。
また、本発明に係る水産作業用合羽は、前記上着には、さらに、着衣者の首回りから立ち上がる襟部とフードとの少なくとも一方が設けられており、前記襟部およびフードは、防水透湿生地で製作されていることを第６の特徴とする。
また、本発明に係る水産作業用合羽は、さらに、ズボンを備え、当該ズボンの前側であるズボン前側部は、合成樹脂レザー等の防水防湿生地で製作され、当該ズボンの後側であるズボン後側部は、尻部が合成樹脂レザー等の防水防湿生地で製作されている一方、尻部以外の部分は防水透湿生地で製作されていることを第７の特徴とする。
また、本発明に係る水産作業用合羽は、前記ズボンには、前記ズボン前側部および前記ズボン後側部の下端部に裾部が設けられており、当該裾部は、合成樹脂レザー等の防水防湿生地を使用し当該裾部下端部で折り返して製作されていると共に、着衣者の足の長さに応じてカットして当該裾部の長さを調整できるように当該裾部下端部から上方に向かって所定間隔で内側面同士が円環状に溶着されていることを第８の特徴とする。
また、本発明に係る水産作業用合羽は、前記ズボンの裾部における裾部上下方向接合ラインは、側面側に位置するように構成されていることを第９の特徴とする。
【発明の効果】
【０００９】
本発明に係る水産作業用合羽によれば、上着の少なくとも後身頃部は防水および透湿機能を有する防水透湿生地で製作されている一方、前身頃部および袖部の前側は、防水透湿生地よりも防水性および耐久性が高い合成樹脂レザー等の防水防湿生地で製作されている。
そのため、防水性および耐久性が必要な前身頃部および袖部の前側には従来から使用されている合成樹脂レザー等の防水防湿生地を使用して防水性および耐久性を保つ一方、少なくとも後身頃部には透湿性が高く軽量な防水透湿生地で製作して汗や湿気を蒸散させるので、水産作業用合羽全体を軽量化することができると共に、船上での漁業や、海での魚や海苔、貝等の養殖業、さらには港湾等における漁船からの水揚げ作業等における各種水産業や水産加工業等の作業性を向上させることができる。
【図面の簡単な説明】
【００１０】
【図１】本発明に係る実施形態の水産作業用合羽の上着の正面図である。
【図２】本発明に係る実施形態の水産作業用合羽の上着の背面図である。
【図３】本発明に係る実施形態の水産作業用合羽の上着の袖口部分を後側から見た部分拡大斜視図である。
【図４】本発明に係る実施形態の水産作業用合羽の上着の袖口部分を後側から見た一部切欠部分拡大斜視図である。
【図５】本発明に係る実施形態の水産作業用合羽の左側の袖部を上げた状態を示す斜視図である。
【図６】本発明に係る実施形態の水産作業用合羽のフード部を示す斜視図である。
【図７】本発明に係る実施形態の水産作業用合羽のフード部の背面図である。
【図８】本発明に係る実施形態の水産作業用合羽のズボンの正面図である。
【図９】本発明に係る実施形態の水産作業用合羽のズボンの背面図である。
【図１０】本発明に係る実施形態の水産作業用合羽のズボンの裾口部分の部分拡大側面図である。
【発明を実施するための形態】
【００１１】
以下、本発明に係る水産作業用合羽の一例である実施形態について、図面を参照しつつ説明する。なお、下記に説明する実施形態は、あくまで本発明の一例であり、本発明は下記の実施形態に限定されず、本発明の技術思想の範囲内で適宜変更可能である。
【００１２】
本発明に係る実施形態の水産作業用合羽は、船上での漁業や、海での魚や海苔、貝等の養殖業、さらには港湾等における漁船からの水揚げ作業等の水産業や、海産物を加工する水産加工業等の各種水産作業等に従事する漁師等の水産業従業者が使用する合羽であって、図１〜図５に示すように構成された上着１と、図６および図７に示すように構成されたフード３と、図８〜図１０に示すように構成されたズボン２とで構成される。尚、フード３は取り外し式のもので構成しているため、本発明では省略しても良い。
【００１３】
＜上着１＞
実施形態の上着１は、図１〜図５に示すように、漁師等の漁業を含む水産業従事者が羽織る上着の合羽であり、着衣者の体の前側に位置して、チャック１１ａやオス側面ファスナー１１ｂ１およびメス側面ファスナー１１ｂ２等の周知の開閉手段によって開閉自在の前身頃部１１と、着衣者の背中側に位置する後身頃部１２と、着衣者の首回りに設けられた襟部１３と、脇の下部１４と、着衣者の腕が通る袖部１５とをそれぞれの境界部等で高周波ウェルダーや超音波ミシン等の溶着によって接着したり、ミシン等によって縫付けた上でその縫い目を裏側から防水テープを貼り付けることによって接合して構成される。尚、ミシン等によって縫付けた箇所は、裏側からその縫い目に防水テープを貼り付けて所定の防水性を確保している。
【００１４】
そして実施形態の上着１では、図面中で塗り潰していない前身頃部１１や袖部１５の前側等は防水および防湿機能を有する防水防湿生地を使用して製作する一方、図面中で塗り潰している後身頃部１２、襟部１３、脇の下部１４、そして袖部１５の後述する腕裏下側上腕用袖部１５ａ２および下腕用内袖部１５ｂ１等は防水および透湿機能を有する防水透湿生地を使用して製作したことを特徴の一つとしている。
【００１５】
防水防湿生地は、従来から漁師等の漁業を含む水産業従事者が羽織る上着の合羽の生地（素材）として使用されている周知のもので、例えば、ポリ塩化ビニル（ＰＶＣ）や、ポリウレタン、エチレンビニルアセテート、ポリエチレン、ポリスチレンなど、一般的に合成樹脂レザーと呼ばれている。防水防湿生地は、耐水圧がJIS  Ｌ1092（高水圧法）１００００ｍｍＨ２０以上であるものを使用することが望ましいが、本発明ではこれに限定されるものではない。
【００１６】
防水透湿生地は、透湿性の高い化学繊維層と合成樹脂層の積層体を使用した周知のもので、透湿性の高い化学繊維層として、例えば、ポリエステルや、ナイロン、レーヨン、アラミド繊維などを使用している。防水透湿生地は、透湿度がJIS  Ｌ1092(A-1)で５０００(g/m2・24h)以上のものを使用することが望ましいが、本発明ではこれに限定されるものではない。
【００１７】
尚、本実施形態では、例えば、防水防湿生地の色は、例えば青である一方、防水透湿生地の色は紺のツートンカラーで構成しており、防水防湿生地部分と防水透湿生地部分とが簡単かつ明確に識別できるように構成していると共に、デザイン性も向上させているが、本発明では、防水防湿生地部分と防水透湿生地部分とは同色のモノトーンでも良いし、青と紺以外の色、例えば、白色や、水色、赤色、オレンジ、黄色、緑、黒、銀色等の他の色の組み合わせでも勿論良い。
【００１８】
（前身頃部１１）
前身頃部１１は、従来から漁師等の漁業を含む水産業従事者が水産作業用合羽の生地（素材）として使用されている防水および防湿機能を有する上述の防水防湿生地で製作されており、図１に示すように、着衣者の体の前側に位置して、チャック１１ａやオス側面ファスナー１１ｂ１およびメス側面ファスナー１１ｂ２等の周知の開閉手段によって前合わせ部分で開閉自在に構成されており、同じ生地である防水防湿生地で製作された袖部１５とは高周波ウェルダーや超音波ミシン等によって溶着して接合されている一方、異なる生地である防水透湿生地で製作された後身頃部１２や襟部１３、脇の下部１４とはミシン等によって縫い付けた上でその縫い目を裏側から防水テープが貼り付けて接合されている。尚、生地同士の接合方法は、あくまで一例であり、これ以外の接合方法でも勿論良い。また、前合わせにチャック１１ａやオス側面ファスナー１１ｂ１およびメス側面ファスナー１１ｂ２等の面ファスナー以外にボタン等が使用されていても勿論良い。
【００１９】
また、前身頃部１１の左胸部分の裏側には、ポケット形状の防水防湿生地の輪郭を溶着してポケット１１ｃが設けられている。尚、ポケット１１ｃは必須のものではなく、本発明では、ポケット１１ｃが省略されていても勿論良い。
【００２０】
尚、前身頃部１１と袖部１５の前側との間の斜めの接合ラインを前身頃・袖接合ラインＬ１，Ｌ１、前身頃部１１と後身頃部１２との接合ラインを、前身頃・後身頃接合ラインＬ２，Ｌ２とする。
【００２１】
（後身頃部１２）
後身頃部１２は、上述したように軽量で透湿性も高い防水透湿生地で製作されており、袖部１５としていわゆるラグランスリーブ形式を採用しているため、背面から見た際、図２に示すようなほぼ６角形状に形成されている。後身頃部１２は、上述したように前身頃部１１とは前身頃・後身頃接合ラインＬ２，Ｌ２でミシン等によって縫い付けた上でその縫い目を裏側から防水テープが貼り付けて接合されていると共に、左右両側の袖部１５とは後身頃・袖部接合ラインＬ３，Ｌ３で同様にミシン等によって縫い付けた上でその縫い目を裏側から防水テープが貼り付けて接合されている。尚、前身頃部１１と後身頃部１２との接合ラインである前身頃・後身頃接合ラインＬ２，Ｌ２は、図１に示すように多少、正面側に回っていてもよいし、正面側に回らず真横に来るようにしてもよいし、さらに、多少背面側に回るようにしても勿論よい。
【００２２】
（襟部１３）
襟部１３は、後身頃部１２と同様に防水透湿生地で製作されており、図１および図２に示すように前身頃部１１と、後身頃部１２と、袖部１５との境界部を多少重ね合わせた上で縫付け、その縫い目を裏側から防水テープを貼り付けて設けられている。
【００２３】
また、襟部１３には、その外側にフード３を着脱自在に装着できるように、襟部１３下端部である前身頃部１１や後身頃部１２、袖部１５との境界部の縫付け部の上方に複数のボタン１３ａが所定間隔で設けられている。
【００２４】
（脇の下部１４）
脇の下部１４は、後身頃部１２や襟部１３と同様に防水透湿生地で製作されており、図２に示すように上着１の背面側にはほとんど現われず、図１に示すように上着１の前面側に現われる上着１のパーツで、角が丸または湾曲した三角形状ないしは曲率半径の異なる曲線によって三日月形状等に形成されている。
【００２５】
そのため、図１や図５に示す防水防湿生地で製作された前身頃部１１および袖部１５の後述する腕表・腕裏上側上腕用袖部１５ａ１の脇の下部１４の形状に合わせてカットされた脇の下接合ラインＬ４でミシン等で縫い付けられ、その縫い目を裏側から防水テープが貼り付けて接合される一方、その反対側は前身頃・後身頃接合ラインＬ２、上腕用袖部下部接合ラインＬ６でミシン等によって縫い付けられ、その縫い目を裏側から防水テープを貼り付けて接合される。
【００２６】
（袖部１５）
袖部１５は、図１および図２に示すように、いわゆるラグランスリーブで構成されており、前身頃部１１や後身頃部１２および襟部１３と接合され、主に着衣者の肩から肘までの上腕（二の腕）が納まる上腕用袖部１５ａと、袖口から肘部分までの約２０ｃｍ前後の長さを有し、主に着衣者の肘から手首までの下腕（一の腕）が納まる下腕用袖部１５ｂとで構成されている。
【００２７】
上腕用袖部１５ａは、図１および図２、図５等に示すように防水防湿生地で製作された腕の表側および腕裏の上側を覆う腕表・腕裏上側上腕用袖部１５ａ１と、防水透湿生地で製作され図２等に示すように腕裏の下側を覆う腕裏下側上腕用袖部１５ａ２とがミシン縫いおよび防水テープで筒状に接合されて構成されている。
【００２８】
ここで、腕表・腕裏上側上腕用袖部１５ａ１と腕裏下側上腕用袖部１５ａ２との２本の接合ラインの内、腕裏の中央よりやや上側に位置する接合ラインを上腕用袖部上部接合ラインＬ５（図２参照。）、腕の下側に位置する接合ラインを上腕用袖部下部接合ラインＬ６（図１参照。）とする。上腕用袖部下部接合ラインＬ６は、図１に示すように多少、正面側に回っているが、正面側と背面側の中間である真下に位置するように構成しても良いし、さらに、多少背面側に回るように構成しても問題ない。
【００２９】
下腕用袖部１５ｂは、上腕用袖部１５ａの下側に連続して設けられ、主に着衣者の肘から手首までの下腕（一の腕）が納まるもので、図３および図４等に示すように下腕用内袖部１５ｂ１と下腕用外袖部１５ｂ２との二重構造で形成されている。
【００３０】
内側の下腕用内袖部１５ｂ１は、軽量で透湿性の高い防水透湿生地を図４に示すように、腕の後側の下腕用内袖部接合ラインＬ７でミシン等で縫付けると共に裏から防水テープを貼り付けて円筒状に形成されていると共に、図３および図４等に示すようにその先端部である袖口にはゴム等が通されて袖口が窄まるように構成して、袖口から水が中に入り難く構成している。
【００３１】
これに対し、外側の下腕用外袖部１５ｂ２は、防水透湿生地よりも重量があり耐久性も防水性も高い合成樹脂レザー等の防水防湿生地を図３や図４等に示すように腕の後側の下腕用外袖部接合ラインＬ８で溶着して円筒状に構成されており、下腕用外袖部接合ラインＬ８は下腕用内袖部接合ラインＬ７と一直線上にならないように僅かにずらしている。
【００３２】
このように上腕用袖部１５ａの腕表・腕裏上側上腕用袖部１５ａ１と、下腕用袖部１５ｂの下腕用外袖部１５ｂ２とは、防水透湿生地よりも重量があるものの耐久性も防水性も高い防水防湿生地で製作されているため、漁業等の水産作業時に海水や真水、雨等がかかったり、魚や網等に触れても従来の水産作業用合羽と同様の耐久性および防水性を発揮することができる。
【００３３】
特に、上腕用袖部１５ａの腕表・腕裏上側上腕用袖部１５ａ１は、腕の後側でも上方から雨や海水を浴び易い腕裏の上側は防水防湿生地で製作しているので、耐久性および防水性を発揮することができ、作業性を向上させることができる。
【００３４】
また、本実施形態の上着１の袖部１５の場合、漁業等の水産作業時に最も海水や真水、雨等がかかったり、魚や網等が触れやすい袖口から肘部分までの約２０ｃｍ程度の下腕用袖部１５ｂは、透湿性の高い防水透湿生地で製作された下腕用内袖部１５ｂ１と、防水性の高い合成樹脂レザー等の防水防湿生地で製作された下腕用外袖部１５ｂ２とで構成されているため、魚や網等が触れやすい外側の下腕用外袖部１５ｂ２で防水性や耐久性等を確保できると共に、内側の下腕用内袖部１５ｂ１で透湿性を確保して、汗や湿気を蒸散し易くして、蒸れ等を確実に防止することができる。
【００３５】
特に、二重構造で形成された下腕用袖部１５ｂにおける内側の下腕用内袖部１５ｂ１は、防水透湿生地で製作されているため、透湿性が高いだけでなく、合成樹脂レザー等の防水防湿生地よりも滑り易いので、ゴム等で出来ている水産用手袋を使用する際も水産用手袋の入口部分との摩擦が少なく、簡単に下腕用内袖部１５ｂ１まで水産用手袋を装着したり、外すことが可能であり、水産用手袋の着脱が容易となるので、この点でも作業性を向上させることができる。
【００３６】
また、本実施形態の水産作業用合羽の上着１の袖部１５では、図２〜図４等に示すように、上腕用袖部１５ａの上腕用袖部上部接合ラインＬ５と、下腕用袖部１５ｂの下腕用外袖部１５ｂ２の下腕用外袖部接合ラインＬ８とは共に上着１の正面側ではなく、腕の後ろ側、すなわち背面側に来るように構成したため、水産作業時等に前方から海水や真水等を被った場合でも、上腕用袖部上部接合ラインＬ５および下腕用外袖部接合ラインＬ８の縫い目等の接合部からの染み出しによる浸水を極力防止できる。
【００３７】
また、本実施形態の水産作業用合羽の上着１の袖部１５では、図２〜図４等に示すように、上腕用袖部１５ａの上腕用袖部上部接合ラインＬ５と、下腕用袖部１５ｂの下腕用外袖部１５ｂ２の下腕用外袖部接合ラインＬ８とはズレており、一直線上にないため、溶着や縫付け、防水テープ等が重なることによる生地の盛り上りを抑制することができる。
【００３８】
そのため、水産作業者がこの上着１を着た際、袖部１５裏側における溶着や縫付けが重なることによる生地の盛り上りによる違和感を抑制して、漁業等の水産作業時の作業性を向上させることができる。ただし、腕用袖部上部接合ラインＬ５と下腕用外袖部接合ラインＬ８とが一直線上に位置するように製作しても勿論よい。
【００３９】
特に、本実施形態の水産作業用合羽の上着１の袖部１５では、下腕用袖部１５ｂは二重構造であり、仮に、上腕用袖部上部接合ラインＬ５と下腕用外袖部１５ｂ２の下腕用外袖部接合ラインＬ８とが一直線であった場合、上腕用袖部上部接合ラインＬ５と下腕用外袖部１５ｂ２の下腕用外袖部接合ラインＬ８と、上腕用袖部１５ａと下腕用袖部１５ｂとの接合ラインである上腕・下腕用袖部接合ラインＬ９との交点では、下腕用袖部１５ｂが二重構造である点も考慮すると、生地や溶着部、縫い付け部等が幾重にも重なり、上着１を着た際の違和感が大きくなるだけでなく、出っ張りが大きくなり船や網等で擦れたり引っ掛り易くなるというデメリットが発生する。
【００４０】
しかし、本実施形態の水産作業用合羽の上着１の袖部１５では、上腕用袖部上部接合ラインＬ５と下腕用外袖部１５ｂ２の下腕用外袖部接合ラインＬ８とが一直線上にならないようずらしているので、下腕用袖部１５ｂは二重構造であっても、これらのデメリットを抑制して、漁業等の水産作業時の作業性を向上させることができると共に、生地や溶着部、縫い付け部等の重なりによる製作し難さや隙間からの水漏れを低減することができる。
【００４１】
また、二重構造で形成された下腕用袖部１５ｂの下腕用内袖部１５ｂ１の下腕用内袖部接合ラインＬ７は、図４に示すように、腕の後ろ側に位置すると共に、外側の下腕用外袖部１５ｂ２の下腕用外袖部接合ラインＬ８とずれ一直線上になく、上腕用袖部上部接合ラインＬ５ともずれており、上腕用袖部上部接合ラインＬ５、下腕用外袖部接合ラインＬ８および下腕用内袖部接合ラインＬ７は全てずれている。
【００４２】
そのため、二重構造で形成された下腕用袖部１５ｂだけでなく、袖部１５全体としても、生地や溶着部、縫い付け部等の重なりにより出っ張りが少なくなるので、袖部１５に腕を通した際の違和感を極力低減することができると共に、上腕・下腕用袖部接合ラインＬ９との交点における生地や溶着部、縫い付け部等の重なりによる製作し難さや隙間からの水漏れを低減することができる。
【００４３】
＜フード３＞
フード３は、襟１３等と同様に軽量でかつ防水および透湿機能を有する防水透湿生地で製作されており、図６および図７に示すように、フード本体３１と、顎下（首前部分）を覆う顎下部３２と、鍔部３３とから構成されており、フード本体３１の下側には、上着１の襟１３のボタン１３ａに対し着脱可能に取り付けられるように所定間隔で複数のボタン３１ａが設けられている
【００４４】
そのため、上着１にフード３を装着した状態で漁業等の水産作業を行っても、フード３全体が防水透湿生地で製作されているので、非常に汗をかき易い頭や顔が汗をかいても、フード３自体が蒸れることを防止することができ、作業性を向上させることができる。
【００４５】
また、フード本体３１には、フード本体３１と鍔部３３との接合部分に留められ、そこから後頭部側に向かって延びるストッパー３１ｂ付きの調整紐３１ｃが設けられている。尚、調整紐３１ｃは、フード本体３１裏側とその裏側に貼り付けられた防水テープ３１ｄ等との間の空洞を通って、フード本体３１の後頭部側に設けられた通し孔から外側に突出し、ストッパー３１ｂが設けられている。
【００４６】
そのため、ストッパー３１ｂで調整紐３１ｃの長さを調整することによって、着衣者の頭の大小に合わせてフード本体３１を着衣者の頭に密着等させることが可能になる。また、図６に示すように、ストッパー３１ｂや調整紐３１ｃはフード本体３１の後頭部側から外側に突出し前側に来ないので、漁業等の水産作業に邪魔になることが少なくなり、この点でも、漁業等の水産作業の効率性を向上させることができる。
【００４７】
また、フード３の顎下部３２には、図６に示すように、左右両側に接離可能に接着する二条のオス側面ファスナー３２ａ，３２ａと、メス側面ファスナー３２ｂ，３２ｂが設けられている。
【００４８】
図６に示すように、オス側面ファスナー３２ａ，３２ａは縦向きである一方、メス側面ファスナー３２ｂ，３２ｂは横向きで、オス側面ファスナー３２ａ，３２ａに対し交差する方向である。そのため、手袋等をして漁業等の水産業に従事している場合や、暴風雨時等でも、確実にフード３のオス側面ファスナー３２ａ，３２ａと、メス側面ファスナー３２ｂ，３２ｂとを操作することが可能となり、この点でも作業の効率性を向上させることができる。
【００４９】
また、フード３上方の鍔部３３は、フード本体３１に対し折り返し可能に構成されおり、鍔部３３の裏側には蛍光テープ３３ａが縫付けられている一方、鍔部３３先端にはフード本体３１に留めるためのボタン３３ｂが設けられている。図６に示すフード３では、鍔部３３を折り返して鍔部３３先端のボタン３３ｂでフード本体３１側の図示しないボタンに留めた状態を示しており、フード本体３１の上部前側に鍔部３３裏側の蛍光テープ３３ａが現れている。
【００５０】
そのため、このフード３では、鍔部３３裏側に蛍光テープ３３ａが設けられており、鍔部３３先端のボタン３３ｂでフード本体側のボタンに留めると、鍔部３３裏側の蛍光テープ３３ａが現れるため、夜間時の暗い時だけでなく、薄昏時や夕方などの薄暗い時でも、蛍光テープ３３ａが目立つので、漁業等の水産作業を確実かつ安全に行うことができる。また、風雨が強い場合でも、鍔部３３先端のボタン３３ｂでフード本体３１側の図示しないボタンに確実に留めることができるので、漁業等の水産作業を確実かつ安全に行うことができる。
【００５１】
＜ズボン２＞
ズボン２は、図８〜図１０に示すように、サスペンダー式を採用しており、ズボン前側部２１と、腹胸当て部２２と、ズボン後側部２３と、背当て部２４と、サスペンダー２５と、裾部２６とから構成されている。
【００５２】
ズボン前側部２１は、漁業等の水産作業時に海水や真水を被り易いため、上着１の前身頃部１１や袖部１５の腕表・腕裏上側上腕用袖部１５ａ１および下腕用外袖部１５ｂ２と同様に、従来より水産作業用合羽に使用されている合成樹脂レザー等の防水防湿生地で製作されている。
【００５３】
また、ズボン前側部２１は、図８に示すように、膝部２１ａの防水防湿生地を二重にして、高周波ウェルダー、超音波ミシン等によって図８に示す点線のように二重にした防水防湿生地同士を溶着して模様を描きながら補強されている。尚、膝部２１ａの補強は図８のように表側から当ててもよいし、内側から当ててもよい。また省略しても良い。
【００５４】
腹胸当て部２２も、ズボン前側部２１と同様に漁業等の水産作業時に海水や真水を被り易いため合成樹脂レザー等の防水防湿生地で製作され、その下端部はズボン前側部２１の上端部に対し高周波ウェルダー、超音波ミシン等によって溶着されて接合されている一方、上端部には、図８に示すように、サスペンダー２５先端の合成樹脂製の公知のオス側バックル２５ｂ，２５ｂが係合する合成樹脂製のメス側バックル２２ａ，２２ａがハトメ具２２ｂ，２２ｂで留められた防水防湿生地のテープ２２ｃ，２２ｃ先端に設けられている。
【００５５】
また、腹胸当て部２２は、防水防湿生地が二重で、かつ、輪郭部が溶着されており、図９に示すように腹胸当て部２２裏側にチャック２２ｄを設け、二重構造の腹胸当て部２２の中に財布や鍵、携帯電話等の貴重品等を収納できるように製作されている。
【００５６】
ズボン後側部２３は、図９に示すように、着衣者のお尻部分（臀部）が当たる尻部２３ａと、尻部２３ａ以外の尻以外部２３ｂとを生地を変えて構成したことを特徴としている。
【００５７】
つまり、ズボン後側部２３では、尻部２３ａは、座った際に力がかかったり、また濡れ易く、また船や網等の他の物に当たって擦れ易いため、ズボン前側部２１や腹胸当て部２２等と同様に、耐久性が高く、かつ、防水および防湿性も高い合成樹脂レザー等の防水防湿生地で製作されている。
【００５８】
これに対し、ズボン後側部２３における尻部２３ａ以外の尻以外部２３ｂは、ズボン２の裏側で、ズボン前側部２１とは異なり、上着１の後身頃部１２や襟部１３等と同様にそれほど海水を被ったり、魚油等で汚れることは少ないため、軽量で汗や湿気を蒸散できるように防水透湿生地で製作されている。尚、尻部２３ａと尻以外部２３ｂとは生地が異なるため、境界部を重ねた上で縫付けその縫い目を裏側から防水テープを貼り付けて接合している。
【００５９】
ここで、尻以外部２３ｂは、図９に示すように、尻部２３ａより高い位置に設けられるズボン後尻上部２３ｂ１と、右脚側のズボン後右脚部２３ｂ２と、左脚側のズボン後左脚部２３ｂ３とで構成され、かつ、尻部２３ａと接合することによってズボン後側部２３を形成するため、ズボン後右脚部２３ｂ２とズボン後左脚部２３ｂ３とは尻部２３ａの形状に合わせてカットされている。そして、尻部２３ａと、尻以外部２３ｂを構成するズボン後尻上部２３ｂ１、ズボン後右脚部２３ｂ２およびズボン後左脚部２３ｂ３は、それぞれ、水平方向の直線状のズボン後尻上部接合ラインＬ１０、ほぼＵ字形状の尻部接合ラインＬ１１、上下方向の直線状のズボン後左脚・右脚接合ラインＬ１２でミシン等によって縫い付けられ、その縫い目を裏側から防水テープが貼り付けて接合されている。
【００６０】
また、ズボン前側部２１とズボン後側部２３との接合も生地が異なるため、境界部を重ねた上で縫付けその縫い目を裏側から防水テープを貼り付けて接合しており、その接合ラインであるズボン前・後接合ラインＬ１３は、後述する裾部２６の接合ラインである裾部上下方向接合ラインＬ１４とは、図８や図１０に示すように、一直線上に来ないようにずらしている。
【００６１】
そのため、上着１の袖部１５における腕用袖部上部接合ラインＬ５と下腕用外袖部接合ラインＬ８等のズレと同様に、ズボン２のズボン前側部２１とズボン後側部２３との接合でもズボン前・後接合ラインＬ１３と裾部上下方向接合ラインＬ１４とがズレることにより、溶着や縫付け、防水テープ等が重なることによる生地の盛り上りを抑制して、生地の盛り上りによる違和感や他の物に対する引っ掛かり易さを防止して、作業性を向上させている。ただし、裾部上下方向接合ラインＬ１４は、通常、足元の長靴部分に来るため、ズボン前・後接合ラインＬ１３と裾部上下方向接合ラインＬ１４とが一直線だったとしても、上着１の袖部１５における腕用袖部上部接合ラインＬ５と下腕用外袖部接合ラインＬ８の場合よりも違和感を感じることが少なく、上着１の袖部１５における腕用袖部上部接合ラインＬ５と下腕用外袖部接合ラインＬ８の場合よりもズボン前・後接合ラインＬ１３と裾部上下方向接合ラインＬ１４とを一直線にしても問題はない。
【００６２】
尚、ズボン前側部２１およびズボン後側部２３の上端部は、それぞれの生地が折り返されており、胸当て部２２と背当て部２４の間の脇の部分には、それらの折り返した部分に脇ゴムが設けられ、ズボン前側部２１およびズボン後側部２３の上端部が余り広がらず、ズボンが履きやすく適度に窄まるように構成されている。
【００６３】
背当て部２４は、ズボン後側部２３と同様に漁業等の水産作業時にズボン前側部２１よりも海水や真水がかかり難く、むしろ汗をかき易く、蒸れ易いため防水透湿生地で製作されており、図９に示すようにその下端部はズボン後側部２３の尻以外部２３ｂの上端部に縫付けられて接合されている一方、上端部には、サスペンダー２５先端の合成樹脂製の公知のオス側バックル２５ｃ，２５ｃが係合する合成樹脂製のメス側バックル２４ａ，２４ａがハトメ具２４ｂ.２４ｂで留められた防水防湿生地のテープ２４ｃ，２４ｃ先端に設けられている。
【００６４】
サスペンダー２５は、伸縮性の高い２本の幅広ゴム２５ａ，２５ａ等から構成されており、図８および図９に示すように前側には腹胸当て部２２上端に設けられたメス側バックル２２ａ，２２ａに接離自在に嵌り合うオス側バックル２５ｂ，２５ｂが取り付けられている一方、後側にも背当て部２４上端に設けられたメス側バックル２４ａ，２４ａに接離自在に嵌り合うオス側バックル２５ｃ，２５ｃが取り付けられている。
【００６５】
裾部２６は、図８および図１０に示すように、漁業等の水産作業時に海水や真水を被り易いため合成樹脂レザー等の防水防湿生地を裾部上下方向接合ラインＬ１４で高周波ウェルダー、超音波ミシン等によって溶着されて円筒状に製作されていると共に、図８〜図１０に示すように、ズボン２を構成するズボン前側部２１とズボン後側部２３の下端部に裾部水平方向接合ラインＬ１５で縫い付けた上、裏側から防水テープが貼付けられて構成されている。
【００６６】
ここで、裾部２６は、長靴や網等に接触して擦れ易く傷み易く、また裾部２６が上方に捲れ上がったり、ずり上がり難くするため、図１０に示すように下端部（先端部）で折り返して裾部水平方向接合ラインＬ１５まで構成されていると共に、着衣者の足の長さに応じてカットして当該裾部の長さを調整できるようその裾部２６が下端部（先端部）を含め上方に向かって所定間隔を開け複数個所（ここでは、説明の便宜上、例えば、４箇所とする。）の溶着ライン２６ａ〜２６ｄで内側面同士が円環状に裾部水平方向接合ラインＬ１５と平行に溶着されている。
【００６７】
そのため、脚の長い着衣者は、裾部２６をカットせずにズボン２を履くことができる一方、脚の短い着衣者は、裾部２６を溶着ライン２６ｂ，２６ｃ，２６ｄ等うちのいずれかの溶着ラインの下方でカットし、裾部２６を短くして履くことも可能となる。
【００６８】
また、ズボン２の裾部２６の裾部上下方向接合ラインＬ１４が側面側に位置するように構成したため、高周波ウェルダーや超音波ミシン等によって溶着した防水防湿生地からなる裾部２６の裾部上下方向接合ラインＬ１４が盛り上がり、裾部２６を長靴の外に出して作業したり、歩行する際に左右の裾部２６の裾部上下方向接合ラインＬ１４同士が当たったり、引っ掛ったりすることを防止でき、作業性や歩行性を向上させることができると共に、裾部上下方向接合ラインＬ１４同士が擦れて摩耗することも防止することができる。
【００６９】
またズボン２の裾部２６は防水防湿生地を折り返し、高周波ウェルダーや超音波ミシン等のみで環状に溶着して形成しているため、裾口からの海水、水の侵入や吸い上げを防ぐことができる。
【００７０】
また、ズボン２の裾部２６の裾部上下方向接合ラインＬ１４は、防水透湿生地よりも厚手の防水防湿生地を下端部（先端部）で折り返して裾部水平方向接合ラインＬ１５まで二重にした上で、裾部上下方向接合ラインＬ１４で縁部を重ねて高周波ウェルダーや超音波ミシン等によって溶着しており、の裾部上下方向接合ラインＬ１４の盛り上がりが大きくなるため、ズボン２の裾部２６の側面側に位置させることにより、長靴を履いての作業時や歩行時に引っ掛ったり、擦れて摩耗することを確実に防止することができる。
【００７１】
また、ズボン前側部２１とズボン後側部２３との接合ラインであるズボン前・後接合ラインＬ１３と、裾部２６の接合ラインである裾部上下方向接合ラインＬ１４とが一直線上にならないようにずらしたため、溶着や縫付け、防水テープ等が重なることによる生地の盛り上りを抑制して、生地の盛り上りによる違和感や他の物に対する引っ掛かり易さを防止して、作業性を向上させている。ただし、裾部上下方向接合ラインＬ１４は、通常、足元の長靴部分に来るため、ズボン前・後接合ラインＬ１３と裾部上下方向接合ラインＬ１４とが一直線だったとしても、上着１の袖部１５における腕用袖部上部接合ラインＬ５と下腕用外袖部接合ラインＬ８の場合よりも違和感を感じることが少なく、上着１の袖部１５における腕用袖部上部接合ラインＬ５と下腕用外袖部接合ラインＬ８の場合よりもズボン前・後接合ラインＬ１３と裾部上下方向接合ラインＬ１４とを一直線にしても問題はない。
【００７２】
以上説明したように、本実施形態の水産作業用合羽の上着１では、後身頃部１２および襟部１３を軽量で透湿性の高い防水透湿生地で製作する一方、前身頃部１１および袖部１５の前側は、防水透湿生地より重量が重いものの防水性および耐久性が高い合成樹脂レザー等の防水防湿生地で製作したため、防水性および耐久性の要求に対応しつつも水産作業用合羽全体を軽量化することができ、漁業を含む水産作業時の作業性を向上させることができる。
【００７３】
例えば、上記実施形態と同型で上着１およびズボン２全てを防水防湿生地である合成樹脂レザーのみで製作すると、上着１とズボン２を合計した重量は例えば１９３０グラムであるのに対し、本実施形態の方法で作成した製品の上着１とズボン２の合計重量は１４３０グラムとなり、従来の方法で作成された製品よりも約２６％も重量が軽減されるので、漁業等の水産用途での使用に限らず、他の水に濡れる作業や、釣り、ボート等のアウトドアやレジャー活動また農作業など各種作業用途にも使用できる。
【００７４】
また、本実施形態の水産作業用合羽の上着１では、前身頃部１１と袖部１５の前身頃側との間の斜めの前身頃・袖接合ラインＬ１に沿って着衣者の脇の下から襟部１３の方向に向かって延びる脇の下部１４，１４を設け、脇の下部１４，１４も、透湿性の高い防水透湿生地で製作しているため、脇の下でかいた汗が脇の下部１４，１４から蒸散し易くなるので、水産作業時の蒸れを効率良く防止でき、この点でも作業性を向上させることができる。
【００７５】
また、袖部１５は、主に上腕（二の腕）が納まる上腕用袖部１５ａと、主に下腕（一の腕）が納まる下腕用袖部１５ｂとで構成し、下腕用袖部１５ｂは、防水透湿生地で製作した下腕用内袖部１５ｂ１と、合成樹脂レザー等の防水防湿生地で製作した下腕用外袖部１５ｂ２との二重構造で構成したため、外側の下腕用外袖部１５ｂ２で防水性や耐久性等を確保できると共に、内側の下腕用内袖部１５ｂ１で透湿性を確保して、汗や湿気を蒸散し易くして、蒸れを確実に防止することができ、この点でも作業性を向上させることができる。
【００７６】
特に、二重構造で形成された下腕用袖部１５ｂにおける内側の下腕用内袖部１５ｂ１は、防水透湿生地で製作されているため、透湿性が高いだけでなく、合成樹脂レザー等の防水防湿生地よりも滑り易いので、ゴム等で出来ている水産用手袋を使用する際も水産用手袋の入口部分との摩擦が少なく、簡単に下腕用内袖部１５ｂ１まで水産用手袋を装着したり、外すことが可能であり、水産用手袋の着脱が容易となるので、この点でも作業性を向上させることができる。
【００７７】
また、本実施形態の水産作業用合羽の上着１の袖部１５では、図２や図３等に示すように、上腕用袖部１５ａの上腕用袖部上部接合ラインＬ５と、下腕用袖部１５ｂの下腕用外袖部１５ｂ２の下腕用外袖部接合ラインＬ８とは共に上着１の正面側ではなく、背面側に来るように構成したため、水産作業時に海水や真水等を被った場合でも、上腕用袖部上部接合ラインＬ５および下腕用外袖部接合ラインＬ８からの浸水を極力防止できる。
【００７８】
また、本実施形態の水産作業用合羽の上着１の袖部１５では、図２や図３等に示すように、上腕用袖部１５ａの上腕用袖部上部接合ラインＬ５と、下腕用袖部１５ｂの下腕用外袖部１５ｂ２の下腕用外袖部接合ラインＬ８とはズレており、一直線上にないため、溶着や縫付けが重なることによる生地の盛り上りを抑制することが可能となり、水産作業者がこの上着１を着た際の袖部１５裏側における溶着や縫付けが重なることによる生地の盛り上りによる違和感を抑制して、摩擦による袖下接合部分の破損を防ぎ、漁業等の水産作業時の作業性を向上させることができる。
【００７９】
また、本実施形態の水産作業用合羽の上着１には、さらに、着衣者の首回りから立ち上がる襟部１３にフード３を着脱可能に設け、その襟部１３およびフード３は防水透湿生地で製作したので、首や頭から蒸散される汗を襟部１３およびフード３から外部へ効率良く排出することができる。
【００８０】
また、本実施形態の水産作業用合羽のズボン２では、ズボン２の前側であるズボン前側部２１は、合成樹脂レザー等の防水防湿生地で製作し、ズボン２の後側であるズボン後側部２３は、尻部２３ａが、座った際に力がかかったり、また濡れ易く、また他の物に当たって擦れ易いため、耐久性が高く、かつ、防水および防湿性も高い合成樹脂レザー等の防水防湿生地で制作されている。一方、尻以外部２３ｂは防水透湿生地で製作されているため、汗や湿気等をズボン後側部２３の尻以外部２３ｂから蒸散することができるので、漁業等の水産作業時の作業性を向上させることができる。
【００８１】
また、本実施形態の水産作業用合羽のズボン２には、ズボン前側部２１およびズボン後側部２３の下端部に裾部２６が設けられており、この裾部２６は合成樹脂レザー等の防水防湿生地を使用し裾部２６下端部で折り返して裾部水平方向接合ラインＬ１５まで二重にした上で裾部水平方向接合ラインＬ１５でズボン前側部２１およびズボン後側部２３の下端部に縫付けおよび防水テープで接合して製作しているため、長靴や網等に接触して擦れても損傷し難くなり、耐久性等が向上すると共に、裾部２６が上方に捲れ上がったり、ずり上がることも防止できるので、漁業等の水産作業時の作業性を向上させることができる。
【００８２】
また、この裾部２６では、着衣者の足の長さに応じてカットして裾部２６の長さを調整できるように裾部２６下端部から上方に向かって所定間隔で円環状に溶着した溶着ライン２６ａ〜２６ｄを設けているため、脚の長い着衣者は裾部２６をカットせずにズボン２を履くことができる一方、脚の短い着衣者は、裾部２６を溶着ライン２６ｂ，２６ｃ，２６ｄ等の下方でカットし、裾部２６を短くして履くことが可能となり、裾を踏みつけて転倒するなどの危険性を排除でき、この点でも作業性を向上させることができる。
【００８３】
また、本実施形態の水産作業用合羽のズボン２では、裾部２６の裾部上下方向接合ラインＬ１４が側面側に位置するように構成したため、高周波ウェルダーや超音波ミシン等によって溶着した防水防湿生地からなる裾部２６の裾部上下方向接合ラインＬ１４が盛り上がり、裾部２６を長靴の外に出して作業したり、歩行する際に左右の裾部２６の裾部上下方向接合ラインＬ１４同士が当たったり、引っ掛ったりすることを防止でき、作業性や歩行性を向上させることができると共に、裾部上下方向接合ラインＬ１４同士が擦れて摩耗することも防止することができる。
【００８４】
特に、ズボン２の裾部２６の裾部上下方向接合ラインＬ１４は、防水透湿生地よりも厚手の防水防湿生地を下端部（先端部）で折り返して裾部水平方向接合ラインＬ１５まで二重にした上で、裾部上下方向接合ラインＬ１４で縁部を重ねて高周波ウェルダーや超音波ミシン等によって溶着しており、裾部上下方向接合ラインＬ１４の盛り上がりが大きくなるが、ズボン２の裾部２６の側面側に位置させているので、長靴を履いての作業時や歩行時に左右両側の裾部２６の裾部上下方向接合ラインＬ１４同士が引っ掛ったり、擦れて摩耗することを確実に防止することができる。
【００８５】
その結果、本発明に係る水産作業用合羽によれば、日本の漁業を支える水産業従事者等の作業において水濡れや汚れといった不安が少ないうえ、発汗などによる蒸れや長時間着用による肉体的負担が軽減され安心して安全に作業に取り組むことができ、日本の文化でもある漁業の発展に貢献することができる。
【００８６】
尚、本実施形態の水産作業用合羽の説明では、上着１に防水透湿生地で製作された襟部１３および着脱式のフード３の両方を設けて説明したが、本発明では、これに限らず、例えば、フード３を省略しても良いし、さらには襟部１３を省略して上着１にフード３が着脱不可に直付けするように構成しても勿論良い。
【００８７】
また、本実施形態の水産作業用合羽の上着１の説明では、袖部１５は図１および図２等に示すようにいわゆるラグランスリーブで説明したが、本発明ではこれに限定されるものではなく、セットインスリーブ（普通袖）等の他の形式の袖部でも勿論良い。
【符号の説明】
【００８８】
１  上着
１１  前身頃部
１１ａ  チャック
１１ｂ１  オス側面ファスナー
１１ｂ２  メス側面ファスナー
１１ｃ  ポケット
１２  後身頃部
１３  襟部
１３ａ  ボタン
１４  脇の下部
１５  袖部
１５ａ  上腕用袖部
１５ａ１  腕表・腕裏上側上腕用袖部
１５ａ２  腕裏下側上腕用袖部
１５ｂ  下腕用袖部
１５ｂ１  下腕用内袖部
１５ｂ２  下腕用外袖部
２  ズボン
２１  ズボン前側部
２１ａ  膝部
２２  腹胸当て部
２２ａ，２２ａ  メス側バックル
２２ｂ，２２ｂ  ハトメ具
２２ｃ，２２ｃ  テープ
２２ｄ  チャック
２３  ズボン後側部
２３ａ  尻部
２３ｂ  尻以外部
２３ｂ１  ズボン後尻上部
２３ｂ２  ズボン後右脚部
２３ｂ３  ズボン後左脚部
２４  背当て部
２４ａ，２４ａ  メス側バックル
２４ｂ，２４ｂ  ハトメ具
２４ｃ，２４ｃ  テープ
２５  サスペンダー
２５ａ，２５ａ  幅広ゴム
２５ｂ，２５ｂ  オス側バックル
２５ｃ，２５ｃ  オス側バックル
２６  裾部
２６ａ〜２６ｄ  溶着ライン
３  フード
３１  フード本体
３１ａ  ボタン
３１ｂ  ストッパー
３１ｃ  調整紐
３１ｄ  防水テープ
３２  顎下部
３２ａ，３２ａ  オス側面ファスナー
３２ｂ，３２ｂ  メス側面ファスナー
３３  鍔部
３３ａ  蛍光テープ
３３ｂ  ボタン
Ｌ１  前身頃・袖接合ライン
Ｌ２  前身頃・後身頃接合ライン
Ｌ３  後身頃・袖接合ライン
Ｌ４  脇の下接合ライン
Ｌ５  上腕用袖部上部接合ライン
Ｌ６  上腕用袖部下部接合ライン
Ｌ７  下腕用内袖部接合ライン
Ｌ８  下腕用外袖部接合ライン
Ｌ９  上腕・下腕用袖部接合ライン
Ｌ１０  ズボン後尻上部接合ライン
Ｌ１１  尻部接合ライン
Ｌ１２  ズボン後左脚・右脚接合ライン
Ｌ１３  ズボン前・後接合ライン
Ｌ１４  裾部上下方向接合ライン
Ｌ１５  裾部水平方向接合ライン
【図１】
2019099949.tif 000003
【図２】
2019099949.tif 000004
【図３】
2019099949.tif 000005
【図４】
2019099949.tif 000006
【図５】
2019099949.tif 000007
【図６】
2019099949.tif 000008
【図７】
2019099949.tif 000009
【図８】
2019099949.tif 000010
【図９】
2019099949.tif 000011
【図１０】
2019099949.tif 000012